(57)【特許請求の範囲】
【請求項１】
他の機器と通信するための通信線が接続され施工面に固定される本体モジュールと、本体モジュールの前面に取着され本体モジュールとの間で信号を送受信する露出パネルとを備え、露出パネルと本体モジュールとの対向面の一方は、露出パネルを本体モジュールの前面に沿って所定の取付位置に導くガイド溝を備え、他方は、ガイド溝に嵌まりガイド溝の周壁と摺接することにより露出パネルの移動を直進移動に規制する嵌合部を備え、露出パネルと本体モジュールとの一方は、前記対向面に沿って形成された係合片を備え、他方は、開口面が前記対向面と交差し係合片が係着される係合溝を備え、
前記露出パネルの後面の一部は前記施工面と当接し、露出パネルは後面周部において外周側ほど露出パネルの厚みを薄くする傾斜面を備えることを特徴とする情報通信装置。
【請求項２】
前記施工面は壁面であり、前記ガイド溝は左右方向に沿って形成され、前記ガイド溝と前記嵌合部とのうち前記本体モジュール側の一方が、他方との摺動部位において前記露出パネルの下向き荷重を支える周壁を備えることを特徴とする請求項１に記載の情報通信装置。
【請求項３】
前記施工面は壁面であり、前記ガイド溝は前記嵌合部が摺接する側壁を備え、前記本体モジュールは、前記取付位置において前記露出パネルの下向き荷重を支える支持部を備えることを特徴とする請求項１に記載の情報通信装置。
【請求項４】
前記本体モジュールおよび前記露出パネルは、互いに接続して本体モジュールから露出パネルへの電力の供給および信号の送受信を可能とする第１および第２の接触端子をそれぞれ備え、本体モジュールは、本体モジュールの前面に露出する操作子を有し第１の接触端子への通電を入切する電源スイッチを備え、露出パネルは、本体モジュールへの取着時に電源スイッチを入状態にし本体モジュールからの取り外し時に電源スイッチを切状態にするよう操作子を操作する操作部を操作子に対向する部位に備えることを特徴とする請求項１乃至請求項３の何れか１項に記載の情報通信装置。
【発明の詳細な説明】
【技術分野】
【０００１】
本発明は、施工面に取り付けられる本体モジュールと、本体モジュールに取り付けられる露出パネルとを備え、他の機器との間で通信を行う情報通信装置に関するものである。
【背景技術】
【０００２】
従来から、宅内の施工面（壁）に取り付けられ、また、宅外などに設置された他の機器と信号線を用いて接続され、当該他の機器との間で通信を行う情報通信装置が提供されている（例えば、特許文献１参照）。
【０００３】
この種の情報通信装置においては、壁に固定される本体モジュールと、本体モジュールの前面に取り付けられる露出パネルとに分離した構成が考えられる。
【０００４】
露出パネル９を本体モジュール８に取着する構成の一例を、図１５を参照して説明する。本体モジュール８は箱状に形成され、露出パネル９は薄箱状に形成されている。本体モジュール８は、互いに離れる向きに前面の上下両端部からそれぞれ延設された上下一対の取付板８１を備えている。
【０００５】
下側の取付板８１には、露出パネル９の後面に突設されたＬ字状の鉤片（図示せず）が差し込まれる引掛孔８１ａが貫設されている。上側の取付板８１には、露出パネル２の後面に突設された取着突起９１が挿通される挿通孔８１ｂが貫設されている。取着突起９１は、取付板８１の後面に引っ掛かる爪部９１ａを先端部に備えている。鉤片を引掛孔８１ａに差し込んだ後、露出パネル９を本体モジュール８の前面に押し付けると（図中の矢印参照）、取着突起９１が撓むことにより爪部９１ａは取付板８１の後面に引っ掛かり、露出パネル９は本体モジュール８に取着される。
【特許文献１】特開平６−２９１８１８号公報
【発明の開示】
【発明が解決しようとする課題】
【０００６】
ところで、上述の構成においては取着突起９１の撓みを利用して爪部９１ａを取付板８１に引っ掛けるから、爪部９１ａをあまり大きくすることができない。したがって、露出パネル９の重量が大きくなると対応できなくなることがある。
【０００７】
本発明は上記事由に鑑みて為されたものであり、その目的は、露出パネルを本体モジュールに取着する構成の情報通信装置において、露出パネルの取着強度を従来構成よりも大きくした情報通信装置を提供することにある。
【課題を解決するための手段】
【０００８】
請求項１の発明は、他の機器と通信するための通信線が接続され施工面に固定される本体モジュールと、本体モジュールの前面に取着され本体モジュールとの間で信号を送受信する露出パネルとを備え、露出パネルと本体モジュールとの対向面の一方は、露出パネルを本体モジュールの前面に沿って所定の取付位置に導くガイド溝を備え、他方は、ガイド溝に嵌まりガイド溝の周壁と摺接することにより露出パネルの移動を直進移動に規制する嵌合部を備え、露出パネルと本体モジュールとの一方は、前記対向面に沿って形成された係合片を備え、他方は、開口面が前記対向面と交差し係合片が係着される係合溝を備え、前記露出パネルの後面の一部は前記施工面と当接し、露出パネルは後面周部において外周側ほど露出パネルの厚みを薄くする傾斜面を備えることを特徴とする。
【０００９】
請求項２の発明では、請求項１の発明において、施工面は壁面であり、ガイド溝は左右方向に沿って形成され、ガイド溝と嵌合部とのうち本体モジュール側の一方が、他方との摺動部位において露出パネルの下向き荷重を支える下壁を備えることを特徴とする。
【００１０】
請求項３の発明では、請求項１の発明において、施工面は壁面であり、ガイド溝は嵌合部が摺接する側壁を備え、本体モジュールは、前記取付位置において露出パネルの下向き荷重を支える支持部を備えることを特徴とする。
【００１１】
請求項４の発明では、請求項１乃至請求項３の何れか１項に記載の発明において、前記本体モジュールおよび前記露出パネルは、互いに接続して本体モジュールから露出パネルへの電力の供給および信号の送受信を可能とする第１および第２の接触端子をそれぞれ備え、本体モジュールは、本体モジュールの前面に露出する操作子を有し第１の接触端子への通電を入切する電源スイッチを備え、露出パネルは、本体モジュールへの取着時に電源スイッチを入状態にし本体モジュールからの取り外し時に電源スイッチを切状態にするよう操作子を操作する操作部を操作子に対向する部位に備えることを特徴とする。
【発明の効果】
【００１３】
請求項１の構成によると、係合片と係合溝とを係合溝の幅方向と直交する面内での直進移動により互いに係着させるから、従来構成と比較すると、互いに係着する部材の係りを深くすることが可能になり、結果的に、露出パネルの取着強度を大きくすることができる。
さらに、傾斜面が形成された露出パネルの後面周部は施工面に当接しないから、露出パネルを本体モジュールに取り付ける作業において露出パネルの後面が施工面と当接することにより仮に施工面に傷が付いたとしても当該傷は露出パネルの外周縁よりも内側になり、当該傷を露出パネルで隠すことができる。
また、露出パネルの周部において施工面と傾斜面との間に隙間が形成され、当該隙間に指を掛けることができるから、露出パネルを本体モジュールに着脱する作業の際に、露出パネルを保持しやすい。
【００１４】
請求項２の構成によると、露出パネルを本体モジュールに対して左右方向に移動させて取り付ける構造で本体モジュールが摺接部位において露出パネルの下向き荷重を支えるから、露出パネルの取付作業において作業者は露出パネルを支えることなく取付位置に露出パネルを導くことができる。
【００１５】
請求項３の構成によると、露出パネルを上下方向に移動させて本体モジュールに取り付けるから、壁面に固定された本体モジュールの側方に他の壁や柱や戸枠のような障害物がある場所においても、露出パネルを本体モジュールに取着することができる。
【００１６】
請求項４の構成によると、本体モジュールに露出パネルを取着すると第１の接触端子に通電され、露出パネルを本体モジュールから取り外すと第１の接触端子への通電が停止するから、第１の接触端子が通電状態で露出することがない。したがって、露出パネルの着脱作業において第１の接触端子に工具の先端など導電性の異物が接触しても短絡による障害が生じない。
【発明を実施するための最良の形態】
【００１９】
以下の各実施形態では、他の機器としてのドアホン子機（図示せず）と通話などの通信を行い、インターホンシステムを構築するインターホン親機を情報通信装置の一例として説明する。
【００２０】
（実施形態１）
ドアホン子機は通話のためのマイクロホンおよびスピーカーとカメラとを備え宅外に設置される。インターホン親機は、通話のためのマイクロホン（図示せず）およびスピーカー（図示せず）と、図２に示すように画像を表示する表示器２１および複数個の操作スイッチ（図示せず）をそれぞれ操作する複数個の操作釦２２とを備える。ドアホン子機とインターホン親機とは通信線（図示せず）を介して接続される。操作釦２２を操作することにより、画像の表示やドアホン子機との通話を行うことができる。
【００２１】
本実施形態のインターホン親機は、箱状に形成された器体１０を備える本体モジュール１と、薄箱状に形成される露出パネル２とを備える。
【００２２】
器体１０は、図３に示すように通信線が接続される通信端子１２と商用電源供給用の電源線（図示せず）が接続される電源端子１３とを後面に備える。本体モジュール１は、通信線および電源線が接続された後、図４に示す器具配線用のスイッチボックス３０を用いて取付ねじ（図示せず）により施工面である壁Ｗに固定される。
【００２３】
スイッチボックス３０は、前端が開口する箱状に形成され、壁Ｗに開設された施工孔４１の開口面の後方に固定される。スイッチボックス３０は、取付ねじが螺入されるねじ受孔３２が前端に形成された上下一対の器具固定用突起３１を２組備える。
【００２４】
本体モジュール１は、図２に示すように各取付ねじがそれぞれ挿通される複数個の取付孔１１ｃがそれぞれ貫設された上下一対の取付板１１を備える。各取付板１１は矩形状にそれぞれ形成され、上側の取付板１１は、短手方向の後面下端部が器体１０の前面上端部に接続された形で器体１０と一体に形成され、下側の取付板１１は、短手方向の後面上端部が器体１０の前面下端部に接続された形で器体１０と一体に形成されている。器体１０の後部をスイッチボックス３０（図４参照）に挿入した状態で各取付ねじを各ねじ受孔３２（図４参照）にそれぞれ螺入させることにより、本体モジュール１は壁Ｗ（図４参照）に固定される。
【００２５】
壁Ｗに固定された本体モジュール１には露出パネル２が取着される。図３に示すように露出パネル２の後面の上下両端部には、各取付板１１がそれぞれ嵌まるとともに底面が露出パネル２の後面と略平行に形成された上下一対のガイド溝２３がそれぞれ凹設される。各ガイド溝２３の左右方向の端部（図における右端部）は露出パネル２の側面に達し、露出パネル２の側面は各ガイド溝２３により切り欠かれた形状となっている。また、下側のガイド溝２３の下部は露出パネル２の下面に達し、露出パネル２の下面は下側のガイド溝２３により切り欠かれた形状となっている。上側のガイド溝２３の下面と下側のガイド溝２３の上面との間の寸法は上側の取付板１１の下端と下側の取付板１１の上端との間の寸法と略同一寸法に形成されている。
【００２６】
各取付板１１を各ガイド溝２３にそれぞれ嵌めると、上側の取付板１１の下端と上側のガイド溝２３の下面とが摺接し、下側の取付板１１の上端と下側のガイド溝２３の上面とが摺接する。したがって、露出パネル２は本体モジュール１の前面に沿って左右方向に直進移動するように移動方向が規制される。
【００２７】
上側のガイド溝２３の下面および下側のガイド溝２３の上面には、係合片２３ａが左右方向の全長に亘って突設される。係合片２３ａと各ガイド溝２３の底面との間には所定の隙間がそれぞれ形成され、当該各隙間はそれぞれ係合溝２３ｂとなっている。
【００２８】
一方、上側の取付板１１の下端および下側の取付板１１の上端には、左右方向の全長に亘って、各係合溝２３ｂにそれぞれ嵌る係合片１１ａと、係合片２３ａがそれぞれ嵌まる係合溝１１ｂとがそれぞれ形成される。
【００２９】
図１に示すように露出パネル２を本体モジュール１の側方（図における右方）より近づけ、各取付板１１を各ガイド溝２３にそれぞれ挿入すると、図５に示すように各係合片１１ａ，２３ａが各係合溝２３ｂ，１１ｂにそれぞれ嵌まる。この状態から図１に示すように露出パネル２を側方に移動させると（図中の矢印の示す方向）、露出パネル２は所定の取付位置に導かれる。露出パネル２が前記所定の取付位置となったときに、各取付板１１の左右方向の一端（図における左端）にそれぞれ突設された位置決突起１１ｄの先端がガイド溝２３の側面（図における左側面）にそれぞれ当たり、露出パネル２の摺動が停止する。
【００３０】
ここにおいて、各ガイド溝２３の側面（図における左側面）には、係止突起２９がそれぞれ突設されている。各係止突起２９は左右方向の先端部（図における右部）に他の部位より大径となった円柱部２９ａをそれぞれ備えている。一方、各取付板１１におけるガイド溝２３の側面と当接する側の端部（図における左端部）には、各係止突起２９がそれぞれ嵌入されるＣ字状の切欠１１ｅがそれぞれ形成されている。
【００３１】
図６に示すように各ガイド溝２３の側面に各位置決突起１１ｄの先端がそれぞれ当たると各円柱部２９ａが各切欠１１ｅにそれぞれ嵌まる。上述したように切欠１１ｅはＣ字状に形成され入口部は切欠１１ｅの径よりも狭いから、円柱部２９ａは切欠１１ｅに保持される。したがって、各取付板１１の各ガイド溝２３における摺動が禁止される。すなわち、露出パネル２の摺動が禁止され、露出パネル２の取着が完了する。
【００３２】
上述のように、露出パネル２が本体モジュール１に取着された状態においては、各係合片２３ａと各係合片１１ａとは前後方向において重なっているから、露出パネル２を前方に引っ張ったとしても露出パネル２は本体モジュール１から外れることがない。また、上側の取付板１１の下端と上側の凹所２３の下面とが当接し、下側の取付板１１の上端と下側の凹所２３の上面とが当接し、各位置決突起１１ｄの先端と各凹所２３の側面（図３における左側面）とがそれぞれ当たっているから、露出パネル２に上下方向および左右方向の内の一方向（図６における右方向）において外力が作用したとしても、露出パネル２が本体モジュール１から外れることがない。
【００３３】
また、円柱部２９ａが切欠１１ｅから外れた場合においても、各係合片１１ａ，２３ａが各係合溝１１ｂ，２３ｂ（図３参照）に嵌まっている間は、下側の取付板１１の周壁（上壁）において露出パネル２の下向き荷重は本体モジュール１に支持されるから、露出パネル２が本体モジュール１から脱落することがない。
【００３４】
本実施形態では露出パネル２を本体モジュール１に取り付けると同時に露出パネル２と本体モジュール１とが電気的に接続される。すなわち、図２に示すように本体モジュール１は、前面に開設された本体側端子窓１４から一部が外部に突出する形で配設される本体側コネクタ１５を備え、本体側コネクタ１５は第１の接触端子１５ａを備える。
【００３５】
一方、露出パネル２は、図３に示すように後面に開設されたパネル側端子窓２４から一部が突出するパネル側コネクタ２５を備える。パネル側コネクタ２５は、第１の接触端子と接続する第２の接触端子２５ａを備える。
【００３６】
本体側コネクタ１５とパネル側コネクタ２５とには、図７（ａ），（ｂ）に示すようなスライド嵌合用の一対のコネクタ（例えば、イリソ電子工業株式会社製６１５３シリーズなど）を用いる。
【００３７】
露出パネル２を摺動させて前記所定の取付位置に配置すると、第１の接触端子１５ａと第２の接触端子２５ａとが接続し、露出パネル２と本体モジュール１とが電気的に接続される。
【００３８】
（実施形態２）
本実施形態のインターホン親機は、露出パネル２を本体モジュール１に取り付ける構成が、実施形態１のインターホン親機と異なる。本実施形態では、図９に示すように露出パネル２は、各取付板１１がそれぞれ嵌まり、露出パネル２が上下方向に摺動できる一対のガイド溝２６を後面の上下両端部にそれぞれ備える。各取付板１１の左右両端には、摺動突起１１ｇがそれぞれ突設される。左側の摺動突起１１ｇの先端と右側の摺動突起１１ｇの先端との間の寸法は、ガイド溝２６の左右方向の寸法と略同一寸法に形成され、また、ガイド溝２６の上下方向の寸法は取付板１１の上下方向の寸法よりも大きく形成される。
【００３９】
左右の各摺動突起１１ｇの先端が各ガイド溝２６のそれぞれの左右両側壁とそれぞれ摺接することにより、露出パネル２の移動は上下方向の直進移動に規制される。
【００４０】
各ガイド溝２６の底面には複数個の引掛孔２６ｆがそれぞれ貫設され、一方、各取付板１１には、図８に示すように先端が上を向き各引掛孔２６ｆにそれぞれ差し込まれる複数個の鉤片１１ｆが前面にそれぞれ突設される。各引掛孔２６ｆ（図９参照）に各鉤片１１ｆをそれぞれ差し込み、露出パネル２を下向きに摺動させると、各鉤片１１ｆは露出パネル２の後壁とそれぞれ係合する。別言すると、鉤片１１ｆの先端部と取付板１１の前面とで形成された溝（係合溝）に引掛孔２６ｆの上の露出パネル２の後壁（係合片）が係着されるのである。
【００４１】
図１０に矢印Ａで示すように露出パネル２を本体モジュール１の前方より近づけて、各取付板１１を各ガイド溝２６（図９参照）にそれぞれ嵌めるとともに各鉤片１１ｆを各引掛孔２６ｆ（図９参照）にそれぞれ差し込み、次いで図１１（ａ）の矢印に示すように露出パネル２を下向きに摺動させて各鉤片１１ｆを露出パネル２の後壁にそれぞれ引っ掛けると、各鉤片１１ｆが露出パネル２の下向き荷重を支え、図１１（ｂ）に示すように露出パネル２が本体モジュール１に取着される。なお、本実施形態では上述のように各鉤片１１ｆが露出パネル２の下向き荷重を支える支持部となっているが、下側の取付板１１を支持部としても良い。具体的には、下側の取付板１１の上端と下側のガイド溝２６の上面とを当接させることにより下側の取付板１１の上端において露出パネル２の下向き荷重を支える構成とする。
【００４２】
上述のように、各鉤片１１ｆが露出パネル２の後壁にそれぞれ引っ掛かっているから、露出パネル２を前方に引っ張ったとしても露出パネル２が本体モジュール１から外れることがない。また、各摺動突起１１ｆの先端がガイド溝２６の左右両側面とそれぞれ当たっているから、露出パネル２に左右方向の外力が作用しても露出パネル２が本体モジュール１から外れることがない。さらに、露出パネル２の下向き荷重により各鉤片１１ｆは露出パネル２の後壁と係合しているから、露出パネル２の下向き荷重以上の負荷が上向きに加えられない限り露出パネル２が本体モジュール１から外れることがない。
【００４３】
また、露出パネル２を本体モジュール１の上方より本体モジュール１に近づけて取着するから、本体モジュール１の側方に他の壁や柱や戸枠のような障害物があっても、実施形態１とは異なり露出パネル２を本体モジュール１に取着することができる。
【００４４】
ところで、本体モジュール１は、図１２に示すように第１の接触端子１５ａ（図９参照）への通電を入切する電源スイッチＳＷを備える。電源スイッチＳＷは、器体１０の内部に収容される基板４２上に配設される。また、電源スイッチＳＷは、器体１０の前面に開設されたスイッチ用窓１６から器体１０の前面に露出するスライド操作が可能な操作子４３を備える。操作子４３は、所定の移動距離で上下方向（矢印Ｂ方向）に移動する。
【００４５】
一方、露出パネル２は、操作子４３が嵌まる操作凹部２７を後壁に備える。露出パネル２の取付作業において露出パネル２を下向きに摺動させると、操作凹部２７の上壁が操作子４３を押し下げ電源スイッチＳＷを入状態にする。露出パネル２を取り外すために露出パネル２を上向きに摺動させると、操作凹部２７の下壁が操作子４３を押し上げ電源スイッチＳＷを切状態にする。すなわち、通電状態の第１の接触端子１５ａ（図９参照）が外部に露出することがない。
【００４６】
上述より、通電状態の第１の接触端子１５ａが外部に露出することがないから、露出パネル２の取付作業において工具の先端など導電性の異物が第１の接触端子１５ａに触れても短絡することがない。
【００４７】
なお、本実施形態では露出パネル２を本体モジュール１に取り付ける（取り外す）際の露出パネル２の上下方向の摺動距離を操作子４３の移動可能距離と略一致するように各鉤片１１ｆおよび各引掛孔２６ｆとを形成し、操作凹部２７により電源スイッチＳＷが破壊されることがないようにしている。実施形態１において、露出パネル２の取付時の露出パネル２の摺動距離を操作子４３の移動可能距離とすることで、実施形態１に上述の構成を使用することが可能となる。
【００４８】
また、本実施形態では上下方向に移動する操作子４３を備える電源スイッチＳＷを使用しているが、押操作する操作子を備えるモーメンタリ型のスイッチを電源スイッチとして使用することもできる。具体的に説明すると、前記スイッチは、前記操作子が前後方向（器体１０の前面に垂直な方向）に移動するように基板４２上に配置され、露出パネル２は、後面から突出する操作部を備える。露出パネル２が本体モジュール１の前面に押し付けられると操作部の先端が操作子を押して（押操作）前記スイッチを入状態にし、露出パネル２を本体モジュール１の前面から取り外すと操作子への負荷（押圧）がなくなり前記スイッチは切状態になる。
【００４９】
実施形態１のように露出パネル２の摺動距離が操作子４３の移動可能距離よりも大きい場合においては上述のようなスライド操作を行う操作子４３を備えるスイッチを電源スイッチとして使用することには支障があるが、上述のような押操作を行う操作子を備えるモーメンタリ型のスイッチにおいては、支障なく電源スイッチＳＷとして使用することができる。
【００５０】
なお、本実施形態の他の構成は実施形態１の構成と同構成である。
【００５１】
（実施形態３）
本実施形態のインターホン親機は、図１３に示すように矩形薄箱状に形成され施工面（図示せず）に直接固定される本体モジュール５と、薄箱状に形成され本体モジュール５の前面に取り付けられる薄箱状に形成された露出パネル６とを備える。
【００５２】
露出パネル６の後面には、底面が露出パネル６の後面と平行に形成され本体モジュール５が嵌まるガイド溝６１が凹設される。ガイド溝６１の下端部は露出パネル６の下面に達し、露出パネル６の下面はガイド溝６１に切り欠かれた形状となっている。また、ガイド溝６１の左右方向の寸法は本体モジュール５の左右方向の寸法と略同一寸法で形成される。したがって、本体モジュール５がガイド溝６１に嵌まると、露出パネル６は本体モジュール５の前面に沿った面内において上下方向に摺動できる。
【００５３】
また、本体モジュール５の左右両側壁には係合片５１がそれぞれ突設され、一方、ガイド溝６１の左右両側壁には各係合片５１がそれぞれ嵌まる係合溝６２がそれぞれ凹設される。
【００５４】
露出パネル６を本体モジュール５の上方より近づけて本体モジュール５をガイド溝６１に挿入し、本体モジュール５を摺動させて本体モジュール５の上面と嵌合凹部６１の上面とを当接させると、露出パネル６の下向き荷重は本体モジュールの上壁を支持部として本体モジュール５に支持される。
【００５５】
露出パネル６が本体モジュール５に取着された状態においては、各係合片５１と各係合溝６２の周壁とは前後方向に重なる形となるから、露出パネル６を前方に引っ張ったとしても露出パネル６が本体モジュール５から外れることがない。また、本体モジュール５とガイド溝６１の左右両側面同士がそれぞれ当接するから、露出パネル６に左右方向の負荷が加えられても露出パネル６が本体モジュール５から外れることがない。
【００５６】
なお、本実施形態における他の構成は実施形態２の構成と同構成である。
【００５７】
（実施形態４）
本実施形態のインターホン親機は、図１４に示すように露出パネル２の後面周部の形状が実施形態１と異なる。具体的には、露出パネル２の後面周部には、外周側ほど露出パネル２の厚みを薄くする傾斜面２８が形成される。
【００５８】
ここにおいて、上側の取付板１１の上端と下側の取付板１１の下端との間の寸法は壁Ｗに開設された施工孔４１の上下方向の寸法よりも大きく形成され、本体モジュール１を壁Ｗに固定したときに各取付板１１の後面先端部（上側の取付板１１の後面上端部と下側の取付板１１の後面下端部）は壁面にそれぞれ密着する。また、ガイド溝２３の深さ寸法は取付板１１の厚み寸法と略同一寸法で形成され、露出パネル２の後面と取付板１１の後面とは同一面上となっている。したがって、露出パネル２を本体モジュール１に取り付けると、露出パネル２の後面は壁面に当接する。
【００５９】
上述したように、露出パネル２の後面周部には傾斜面２８が形成されているから、露出パネル２を本体モジュール１に取り付けた場合において壁面と傾斜面２８との間には隙間が形成されている。したがって、露出パネル２を本体モジュール１に取り付ける作業において当該隙間に指を掛けて露出パネル２を持つことができ、露出パネル２の取付作業が容易になる。
【００６０】
また、露出パネル２の取付作業において露出パネル２の後面を壁面に当接させる際に露出パネル２の後面が壁面に接触して壁面に傷が付いたとしても、当該傷は露出パネル２の外周縁よりも内側に形成され露出パネル２により覆い隠される。したがって、当該傷を外部より視認することはできない。
【００６１】
また、傾斜面２８により露出パネル２が壁面より浮き上がって見えるから、壁Ｗに取り付けたインターホン親機が壁面から遊離して見えるという視覚的効果が得られる。
【００６２】
なお、本実施形態における他の構成は、実施形態１の構成と同構成である。
【００６３】
また、本実施形態の構成を実施形態２または実施形態３の構成に付加することもできる。
【図面の簡単な説明】
【００６４】
【図１】実施形態１の組立時の背面側の斜視図である。
【図２】実施形態１の前面側の分解斜視図である。
【図３】実施形態１の背面側の分解斜視図である。
【図４】実施形態１においてスイッチボックスを取り付けた状態の壁の斜視図である。
【図５】実施形態１の組立時の側面図である。
【図６】実施形態１の背面側の斜視図である。
【図７】（ａ）は実施形態１の本体側コネクタの斜視図であり、（ｂ）はパネル側コネクタの斜視図である。
【図８】実施形態２の前面側の分解斜視図である。
【図９】実施形態２の背面側の分解斜視図である。
【図１０】実施形態２の組立時の側面図である。
【図１１】実施形態２の背面図であり、（ａ）は組立時（ｂ）は組立後の図である。
【図１２】実施形態２の断面図である。
【図１３】実施形態３の背面側の分解斜視図である。
【図１４】実施形態４の側面図である。
【図１５】従来例を示す側面図である。
【符号の説明】
【００６５】
１  本体モジュール
２  露出パネル
５  本体モジュール
６  露出パネル
１０  器体
１１  取付板（嵌合部）
１１ａ  係合片
１１ｂ  係合溝
１１ｆ  鉤片（係合溝）
１５ａ  第１の接触端子
２３  ガイド溝
２３ａ  係合片
２３ｂ  係合溝
２５ａ  第２の接触端子
２６  ガイド溝
２７  操作凹部（操作部）
２８  傾斜面
４３  操作子
５１  係合片
６１  ガイド溝
６２  係合溝
ＳＷ  電源スイッチ
【図１】
0004977071.tif 000002
【図２】
0004977071.tif 000003
【図３】
0004977071.tif 000004
【図４】
0004977071.tif 000005
【図５】
0004977071.tif 000006
【図６】
0004977071.tif 000007
【図７】
0004977071.tif 000008
【図８】
0004977071.tif 000009
【図９】
0004977071.tif 000010
【図１０】
0004977071.tif 000011
【図１１】
0004977071.tif 000012
【図１２】
0004977071.tif 000013
【図１３】
0004977071.tif 000014
【図１４】
0004977071.tif 000015
【図１５】
0004977071.tif 000016